(57)【特許請求の範囲】
【請求項１】
左右戸板（１１，１２）を有する折戸（１０）に取り付けるための指詰め防止装置（４０）であって、
左右羽根板（２１，２２）と、前記左右羽根板を回動自在に結合させる軸ピン（２５）と、前記軸ピンを支える軸受（２６）とからなる蝶番（２０）と、
前記左右戸板（１１，１２）の隙間（１７）をふさぐ形状の遮蔽カバー（４３）と、
前記蝶番（２０）と前記遮蔽カバー（４３）を連結する連結棒（４１）と、
前記連結棒（４１）の頭部（４１ｂ）から前記折戸（１０）に向かって延びている２本の脚を有する開脚バネ（４５，４６）とを有し、
前記開脚バネ（４５，４６）の先端は前記蝶番（２０）の前記左右羽根板（２１，２２）に固定されており、
前記蝶番軸受（２６）及び前記連結棒（４１）が存在する部分を避けて前記遮蔽カバー（４３）が延長部（４４）を有し、
前記延長部（４４）が自由端部を有すると共に、前記左右戸板（１１，１２）の隙間（１７）を往復移動する
ことを特徴とする折戸の指詰め防止装置。
【請求項２】
折戸閉鎖位置への移動強制装置をさらに有する請求項１に記載の装置。
【請求項３】
前記羽根板の蛇行調整装置をさらに有する請求項１又は２に記載の装置。
【請求項４】
請求項１〜３の何れかに記載の指詰め防止装置を取り付けた左右戸板（１１，１２）からなる折戸（１０）。
【請求項５】
前記左右戸板（１１，１２）の遮蔽カバー（４３）取付位置に切り込み（１５，１６）が設けられている請求項４記載の折戸（１０）。
【発明の詳細な説明】
【技術分野】
【０００１】
本発明は、折戸（蝶番を継ぎ手にして折り畳めるようにした戸板）の指詰め防止装置に関する。すなわち、折戸を閉じるときに、継ぎ手部の隙間に指を詰めてケガをしないようにした一種の安全装置に関する。
【背景技術】
【０００２】
上記目的の安全装置は古くから提案されている。大きく分類すると、次のようである。
（１）戸板を閉じても戸板の端面同士が密着しないように、予め継ぎ手部の隙間を開けておくもの（下記特許文献１の図７参照）
（２）継ぎ手部の隙間を遮蔽シートでふさぐもの（下記特許文献２の図１〜４参照）
（３）継ぎ手部の隙間をクッション材でふさぐもの（下記特許文献１の図６、下記特許文献３、下記特許文献４参照）
【特許文献１】特開平１１−１５９２５４号
【特許文献２】実用新案登録第３００４７９５号
【特許文献３】実開昭５７−４２０８１号
【特許文献４】実開昭５２−９４７５５号
【発明の開示】
【発明が解決しようとする課題】
【０００３】
上記従来技術は、いずれも所期の目的を達することができるが、あえて欠点を指摘すると、上記（１）は戸板端面の形成に時間と手間を要する。（２）と（３）は、遮蔽シートやクッション材に耐久性が不足しがちで、長期間の使用に耐えられないおそれがあり、また、汚れを落とすための清掃が難しい。
【０００４】
本発明は、耐久性、清掃の容易さ、美観に優れた折戸の指詰め防止装置を提供することを目的とする。
【課題を解決するための手段】
【０００５】
本発明の折戸の指詰め防止装置は、左右戸板を有する折戸に取り付けるための指詰め防止装置であって、左右羽根板と、前記左右羽根板を回動自在に結合させる軸ピンと、前記軸ピンを支える軸受とからなる蝶番と、前記左右戸板の隙間をふさぐ形状の遮蔽カバーと、前記蝶番と前記遮蔽カバーを連結する連結棒と、前記連結棒の頭部から前記折戸に向かって延びている２本の脚を有する開脚バネとを有し、前記開脚バネの先端は前記蝶番の前記左右羽根板に固定されており、前記蝶番軸受及び前記連結棒が存在する部分を避けて前記遮蔽カバーが延長部を有し、前記延長部が自由端部を有すると共に、前記左右戸板の隙間を往復移動することを特徴とする。
【０００６】
本発明はまた、そのような指詰め防止装置を備えたことを特徴とする折戸である。
【発明の効果】
【０００７】
本発明では、遮蔽カバーが継ぎ手部の隙間をふさぐので、人が継ぎ手部の隙間に指を挟むおそれはない。しかも、遮蔽カバーは比較的に頑強な素材で作成することができるので、耐久性があり、清掃も容易に行うことができる。さらに遮蔽カバーは筋状・一直線に継ぎ手部の隙間をふさぐので、従来例に比べて美観に優れている。
【発明を実施するための最良の形態】
【０００８】
好ましくは、前記連結棒の頭部から前記折戸の外側に向かって２本の開脚バネを延ばし、この開脚バネの先端を前記蝶番に設けられた突起に差し込んで固定する。開脚バネは開脚角度を調節できるので、連結棒が安定的に支持される。
【０００９】
さらに好ましいのは、前記遮蔽カバーが左右戸板の隙間を移動する延長部を設けることである。延長部は戸板の高さの相当部分（蝶番及び連結棒付近を除く遮蔽カバーの大部分の長さ）を占めるものとすることができる。この延長部を設けることで、開閉時に左右戸板の隙間の間で遮蔽カバーの動きを制限し、安定したものとすることができる。
【００１０】
さらに、本発明の指詰め防止装置には、折戸閉鎖位置への移動強制装置をさらに設けることができる。また、羽根板の蛇行調整装置をさらに設けてもよい。この２装置は、折戸用蝶番に通常設けられているものである。
【実施例１】
【００１１】
以下、添付の図面に基づき、本発明の実施例を説明する。
【００１２】
図１は、本発明の一実施例である指詰め防止装置を備えた戸板１１，１２を有する折戸１０の外観である。
【００１３】
図２は、この装置において使用する蝶番２０の一部破断斜視図であり、図３は正面図である。折戸１０を連結構成する左右戸板１１，１２の内側にこの蝶番２０が取り付けられる。
【００１４】
この蝶番２０は、戸板に取り付けるための左右羽根板２１，２２を有し、各羽根板２１，２２には半円形の凹部２３，２４が設けられている。凹部２３，２４は戸板に彫り込んだ半円形の取付孔１３，１４に埋設される。
【００１５】
各羽根板２１，２２は、ネジ（図示せず）で戸板１１，１２に固定され、軸ピン２５、軸受２６を中心にして回動可能である。軸受２６は、羽根板の切起し片３１，３３により支持されている。切起し片３１と３３の間には樹脂製ブッシュ３２がはめ込まれている。軸ピン２５の上下において、羽根板凹部２３，２４が切り取られて、空間３４，３５が設けられている。符号３６はギボシである。
【００１６】
この実施例の蝶番は、閉鎖位置への移動強制装置及び羽根板の蛇行調整装置が取り付けられている。これらの装置自体は公知のもの（例えば、特開平７−２６９２１８号、特開２００８−３８４５９参照）と同様であり、本願発明と直接の関係はないので、簡略な説明に留める。
【００１７】
閉鎖位置移動強制装置は、図２〜４に示すように、軸ピン２５の中央部分で軸ピン２５と同軸的に配置され且つ一方の羽根板２１と共に回動するカム２７と、他方の羽根板２２に保持されてこのカム２７に向かってバネ２８により常時押圧されているスライダー２９とからなる。カム２７は、周面の一部に大径となったデットポイント２７ａを備え、折戸を図５（ｄ）の折り畳み姿勢となった開き位置から図５（ａ）の閉鎖位置まで回動する過程において、スライダー２９の先端接触部がカム２７のデットポイント２７ａを乗り越えると、折り戸の左右の戸板をバネ２８の力により図５（ａ）の閉鎖位置に強制的に移動させる。
【００１８】
蛇行調整装置は、図２〜４に示すように、カム２７に、他方の羽根板２２の方向に向かって移動調整可能な調整ビス３０を組み込み、この調整ビス３０の先端を他方の羽根板２２の端縁部分に当接させてなる。調整ビス３０は、先端にドライバー等の回動工具が係合する係合溝を備えており、この調整ビス３０を前進又は後退させることにより折戸閉鎖位置における左右戸板１１，１２の直線性、即ち蛇行を調整することができる。
【００１９】
本発明の主要な特徴は、遮蔽カバー４３を有する指詰め防止装置４０であり、軸ピン２５に隣接する空間３５を利用して折戸１０の隙間に取り付けられている。以下この装置について説明する。
【００２０】
遮蔽カバー４３は、図１に示すように、横断面が皿状又は円弧状であり、横断面両端は丸みを付けている。遮蔽カバー４３を裏面から見れば、図２に示すように、蝶番２０の位置を除いて、中空四角柱状の固定部４３ａ及びその固定部から起立する延長部４４を有する。延長部４４は戸板の高さの相当部分（蝶番２０及び連結棒４１付近を除く遮蔽カバー４３の大部分の長さ）を占めている。
【００２１】
遮蔽カバー４３が折戸１０から突出しないように、左右戸板１１，１２には一段低くなった切り込み１５，１６が設けられている。そのため、折戸１０が閉鎖されている図４の状態において、遮蔽カバー４３は折戸１０とほぼ同じ高さにある。遮蔽カバー４３の左右両末端は切り込み１５，１６の斜面と接触する。
【００２２】
遮蔽カバー４３は、図１に示すように、折戸１０の全長にわたって継ぎ手部の隙間１７に取り付けられている。しかし、通常、人が手を触れることがない最下部や最上部では省略することも可能である。
【００２３】
遮蔽カバー４３は、例えば図２〜図４に示すように、蝶番２０に対して連結棒４１により連結されている。
【００２４】
連結棒４１の脚部４１ａは、遮蔽カバー４３に対して、固定部４３ａに挿入固定される。
【００２５】
連結棒４１の頭部４１ｂは、蝶番２０に対して、２本の開脚バネ４５，４６により固定される。２本の開脚バネ４５，４６は、連結棒の頭部から戸板外側に向けて延びており、開脚バネ４５，４６の先端が凹部２３，２４に設けられた突起４７，４８に差し込まれて固定されている。図５に示すように、戸板１１，１２の開閉に伴って、開脚バネ４５，４６の形成する角度は、約２５°から約６５°まで変化する。
【００２６】
図５に基づき、指詰め防止装置の動きを見るが、図面を見やすくするために、閉鎖位置強制用のバネ２８は描いていない。図５（ａ）は折戸の閉鎖状態である。この状態から取っ手（図示省略）を持って戸板１１，１２を開くとバネ２８の付勢力に打ち勝って（ｂ）（ｃ）（ｄ）の状態を経て、（ｅ）で完全に開く。（ｃ）の状態のとき、遮蔽カバー４３の左右末端と戸板１１，１２端面角部が一番近接するので、このときに衝突しないように双方の長さ設定を行う必要がある。
【００２７】
上記一連の動きのなかで、戸板の隙間１７を連結棒４１が動くだけでなく、遮蔽カバー４３に取り付けた延長部４４も同時に動く。この延長部４４を設けることで、開閉時に左右戸板の隙間の間で遮蔽カバー４３の動きを制限し、安定したものとすることができる。
【００２８】
本発明によれば、遮蔽カバー４３が継ぎ手部の隙間をふさぐので、図４（ａ）のときはもちろん、（ｂ）〜（ｅ）のときにも、人が継ぎ手部の隙間に指を挟むおそれはない。しかも、遮蔽カバー４３は比較的に頑強な素材で作成することができるので、耐久性があり、清掃も容易に行うことができる。さらに遮蔽カバーは筋状に継ぎ手部の隙間をふさぐので、従来例に比べて美観に優れている。
【図面の簡単な説明】
【００２９】
【図１】本発明の一実施例である指詰め防止装置を備えた戸板の外観である。
【図２】本発明の一実施例である指詰め防止装置において使用する蝶番の一部は段斜視図である。
【図３】本発明の一実施例である指詰め防止装置において使用する蝶番の正面図である。
【図４】本発明の一実施例である指詰め防止装置において使用する蝶番の横断面図である。
【図５】（ａ）〜（ｅ）は、本発明の一実施例である指詰め防止装置の動きを説明するための横断面図である。
【符号の説明】
【００３０】
１０   折戸
１１，１２    左右戸板
１３，１４    取付孔
１７   隙間
２０   蝶番
２１，２２    左右羽根板
２３，２４    左右羽根板の凹部
２５   軸ピン
２６   軸受
２７   カム
２７ａ デットポイント
２８   バネ
２９   スライダー
３０   調整ビス
３１   起立片
３２   樹脂製ブッシュ
３３   ギボシ
３４，３５    空間
４０   指詰め防止装置
４１   連結棒
４１ａ 連結棒脚部
４１ｂ 連結棒頭部
４３   遮蔽カバー
４３ａ 遮蔽カバー固定部
４４   延長部
４５，４６    開脚バネ
４７，４８    突起
【図１】
0005144378.tif 000002
【図２】
0005144378.tif 000003
【図３】
0005144378.tif 000004
【図４】
0005144378.tif 000005
【図５】
0005144378.tif 000006